(57)【特許請求の範囲】
【請求項１】
被写体が写っている画像を画素の集合として読み取ってそれらの画素それぞれの色を所定の色空間内の座標値で表した画像データを得る入力デバイスに依存する該所定の色空間の座標値と入力デバイスに非依存な色空間の座標値との対応を定義する複数の入力プロファイルを入力デバイスの種類に応じた複数グループに分類して記憶する、該複数グループには、入力デバイスに依存する前記所定の色空間の座標値と、その座標値で色が表された画素に対応する前記被写体の実際の色を表す、入力デバイスに非依存な第１色空間の座標値との対応を定義する入力プロファイルが分類される第１グループと、入力デバイスに依存する前記所定の色空間の座標値と、その座標値で色が表された画素に対応する前記被写体の媒体への出力色を表す、入力デバイスに非依存な第２色空間の座標値との対応を定義する入力プロファイルが分類される第２グループが含まれている入力プロファイル記憶部と、
前記入力デバイスによって得られた画像データを取得する画像データ取得部と、
前記画像データ取得部によって取得された画像データを、前記入力プロファイル記憶部に記憶されている入力プロファイルに従って、画素の色をデバイスに非依存な色空間の座標値で表した画像データに変換する画像データ変換部と、
前記画像データ変換部によって変換されて得られた画像データのうち、前記複数グループのうちの前記第１グループに分類されている入力プロファイルに従って変換された画像データに対して、画像の階調を中間の階調域は保存しその中間の階調域の上下の階調域は圧縮することで前記被写体の実際の色を前記出力色に変更するデータ処理を施し、前記第２グループに分類されている入力プロファイルに従って変換された画像データに対しては該データ処理は省略する階調変更部とを備えたことを特徴とする色変換装置。
【請求項２】
コンピュータに組み込まれてそのコンピュータを、
被写体が写っている画像を画素の集合として読み取ってそれらの画素それぞれの色を所定の色空間内の座標値で表した画像データを得る入力デバイスに依存する該所定の色空間の座標値と入力デバイスに非依存な色空間の座標値との対応を定義する複数の入力プロファイルを入力デバイスの種類に応じた複数グループに分類して記憶する、該複数グループには、入力デバイスに依存する前記所定の色空間の座標値と、その座標値で色が表された画素に対応する前記被写体の実際の色を表す、入力デバイスに非依存な第１色空間の座標値との対応を定義する入力プロファイルが分類される第１グループと、入力デバイスに依存する前記所定の色空間の座標値と、その座標値で色が表された画素に対応する前記被写体の媒体への出力色を表す、入力デバイスに非依存な第２色空間の座標値との対応を定義する入力プロファイルが分類される第２グループが含まれている入力プロファイル記憶部と、
前記入力デバイスによって得られた画像データを取得する画像データ取得部と、
前記画像データ取得部によって取得された画像データを、前記入力プロファイル記憶部に記憶されている入力プロファイルに従って、画素の色をデバイスに非依存な色空間の座標値で表した画像データに変換する画像データ変換部と、
前記画像データ変換部によって変換されて得られた画像データのうち、前記複数グループのうちの前記第１グループに分類されている入力プロファイルに従って変換された画像データに対して、画像の階調を中間の階調域は保存しその中間の階調域の上下の階調域は圧縮することで前記被写体の実際の色を前記出力色に変更するデータ処理を施、前記第２グループに分類されている入力プロファイルに従って変換された画像データに対しては該データ処理は省略する階調変更部とを備えた色変換装置として動作させることを特徴とする色変換プログラム。
【発明の詳細な説明】
【０００１】
【発明の属する技術分野】
本発明は、画像を構成する画素の色を第１の色空間内の座標値で表した画像データを、その画素の色を第２の色空間内の座標値で表した画像データに変換する色変換装置および色変換プログラムに関する。
【０００２】
【従来の技術】
例えば、記録された画像を読み取って画像データを得るカラースキャナや、固体撮像素子上に被写体の画像を結像して読み取ることにより画像データを得るＤＳＣ（ディジタルスチルカメラ）等、画像を入力して画像データを得る、様々なタイプの入力デバイスが知られている。これらの入力デバイスでは、画像データは、例えばＲ（レッド）、Ｇ（グリーン）、Ｂ（ブルー）の３色についてそれぞれ例えば０〜２５５等の決まった範囲のデータで表わされるが、Ｒ、Ｇ、Ｂ３色についてそれぞれ決まった範囲内の数値で表現することのできる色には自ずと限界があり、元々の画像の色が極めて豊かな表現を持っていたとしても、一旦入力デバイスを用いて画像データに変換すると、その画像データによって表わされる画像は、そのＲ、Ｇ、Ｂ色空間内の立方体や直方体で表される色表現領域内の色に制限されることになる。
【０００３】
また、画像データに基づいて画像を出力する出力デバイスについても、例えば、印画紙上をレーザ光で露光してその印画紙を現像することにより印画紙上に画像を記録する写真プリンタ、電子写真方式やインクジェット方式などの方式で用紙上に画像を記録するプリンタ、輪転機を回して多量の印刷物を作成する印刷機、画像データに基づいて表示画面上に画像を表示するＣＲＴディスプレイやプラズマディスプレイ等の画像表示装置等、様々なタイプの出力デバイスが知られているが、これらの出力デバイスについても上述の入力デバイスと同様、各出力デバイスに応じた色表現領域が存在する。すなわち、出力デバイスは、例えばＲ、Ｇ、Ｂ３色を表現する画像データやＣ（シアン）、Ｍ（マゼンタ）、Ｙ（イエロー）、Ｋ（墨）の４色を表現する画像データに基づいて様々な色を表現することができるが、その表現できる色は、出力デバイス色空間（例えばＲＧＢ空間、ＣＭＹＫ空間等）の立方体や直方体で表される色表現領域内（例えばＲ、Ｇ、Ｂそれぞれについて０〜２５５の範囲の数値で表わされる色表現領域内等）に制限される。
【０００４】
また、例えばある１つの画像データ（例えば（Ｒ、Ｇ、Ｂ）＝（５０，１００，２００）を表わす画像データ）であってもその画像データに基づいて得られる画像の色は出力デバイスの種類により異なる。この点は入力デバイスと出力デバイスとの間でも同様であり、ある入力デバイスで得られた（Ｒ、Ｇ、Ｂ）＝（５０，１００，２００）の画像データをそのまま用いて、ある出力デバイスで画像を出力しても、入力デバイスで入力される元になった画像の色と出力デバイスで出力された画像の色は一般には一致しない。したがって、ある入力デバイスで画像を読み取って画像データを得、その画像データを基にして、ある出力デバイスで元の画像を再現しようとしたとき、入力デバイスで得られた画像データをそのまま出力デバイスに送るのではなく、その間で画像データを変換する必要がある。ここでは画像の色に着目した変換を行っており、この画像データの変換を色変換と称する。また、この色変換前後の画像データの相互関係を定義するＬＵＴ（ルックアップテーブル）などのことを色変換定義（カラープロファイル）と称し、その色変換定義（カラープロファイル）を作成することをプロファイリングと称する。この色変換定義は、換言すると、２つの色空間について座標値の対応を定義するものである。
【０００５】
また、上述したように、色表現領域は各デバイスによって異なるとともに、数値上同一の画像データであっても各デバイスにおいて表現される色はそれぞれに異なっているが、近年では、入力デバイスと出力デバイスとが相互に接続された、複数種類の入力デバイスや複数種類の出力デバイスが組み込み可能なデバイス非依存のシステムを構築することが望まれている。そのようなデバイス非依存のシステムでは、デバイス間で色変換を行なうにあたって、デバイスには依存しない共通色空間（Ｄｅｖｉｃｅ  Ｉｎｄｅｐｅｎｄｅｎｔ  Ｄａｔａの空間）、例えばＬ*ａ*ｂ*色空間等を中間に置き、入力デバイスで得られた入力デバイスに依存した色空間上の画像データを共通色空間上の画像データに変換する色変換と、その共通色空間上の画像データを、出力デバイスに依存した色空間上の画像データに変換する色変換とを経る手法が採用されている。そして、このデバイス非依存のシステムでは、上述した色変換定義（カラープロファイル）として、入力デバイスに依存した色空間と共通色空間との間での色変換を定義する入力プロファイルと、出力デバイスに依存した色空間と共通色空間との間での色変換を定義する出力プロファイルが作成される。
【０００６】
【発明が解決しようとする課題】
ところで、人物や風景などといった被写体が撮影されて得られた画像データが表す画像が出力デバイスによって出力される場合に自然な階調の画像が得られるためには、上述した色変換に加えて、画像の階調を変更するデータ処理が画像データに施される必要がある。
【０００７】
これに対して、写真プリントや印刷物などが読み込まれて得られた画像データが表す画像が出力デバイスによって出力される場合には、上述した色変換が画像データに施されて、写真プリントや印刷物などの画像の色がそっくりそのまま再現されることが望ましい。
【０００８】
このため、従来から提案されているデバイス非依存のシステムに複数種類の入力デバイスが組み込まれた場合には、画像データの内容をユーザなどがいちいち確認し、データ処理の要不要を判断するという手間がかかり、非常に不便である。
【０００９】
本発明は、上記事情に鑑み、上述したデータ処理の要不要を判断する手間を省くことができる色変換装置および色変換プログラムを提供することを目的とする。
【００１０】
【課題を解決するための手段】
上記目的を達成する本発明の色変換装置は、画像を画素の集合として読み取ってそれらの画素それぞれの色を所定の色空間内の座標値で表した画像データを得る入力デバイスに依存するその所定の色空間の座標値と入力デバイスに非依存な色空間の座標値との対応を定義する複数の入力プロファイルを複数グループに分類して記憶する入力プロファイル記憶部と、
入力デバイスによって得られた画像データを取得する画像データ取得部と、
画像データ取得部によって取得された画像データを、入力プロファイル記憶部に記憶されている入力プロファイルに従って、画素の色を入力デバイスに非依存な色空間の座標値で表した画像データに変換する画像データ変換部と、
画像データ変換部によって変換されて得られた画像データのうち、上記複数グループのうちの所定グループに分類されている入力プロファイルに従って変換された画像データに対して、画像の階調を変更するデータ処理を施す階調変更部とを備えたことを特徴とする。
【００１１】
ここで、「入力デバイスに非依存な色空間」は、全ての入力プロファイルに対して共通した１つの色空間であってもよく、あるいは、入力プロファイルの種類などに応じて使い分けられる複数種類の色空間であってもよい。
【００１２】
上述した画像の階調を変更するデータ処理の要不要は、原則として、入力デバイスの種類に依存するといってよい。例えば、デジタルスチルカメラやデジタルビデオといった入力デバイスは、人物や風景などといった被写体を撮影するものであり、そのような入力デバイスによって得られる画像データには上記データ処理が必要である。また、いわゆるフィルムスキャナは、主にリバーサルフィルム等の画像を読み込む目的で使用されるものであり、このフィルムスキャナによって得られる画像データにも原則として上記データ処理が必要である。これに対し、いわゆる反射型スキャナは、主に写真プリントや印刷物の画像を読み込む目的で使用されるものであり、この反射型スキャナで得られる画像データには原則として上記データ処理は不要である。
【００１３】
そこで、本発明の色変換装置では、予め、上記データ処理の要不要に応じて入力プロファイルが分類されており、画像データの色変換に用いられた入力プロファイルの分類に応じて上記データ処理の実施不実施が決定される。これにより、ユーザがデータ処理の要不要を判断しなくても、データ処理の実施不実施が適切に決定され、判断の手間が省かれる。
【００１４】
本発明の色変換装置は、上記画像が、被写体が写っているものであり、
上記入力プロファイル記憶部が、上記所定グループに分類された入力プロファイルとして、入力デバイスに依存する上記所定の色空間の座標値と、その座標値で色が表された画素に対応する被写体の実像上の点の色を表す、入力デバイスに非依存な色空間の座標値との対応を定義する入力プロファイルを記憶するものであることが好適である。
【００１５】
このような色変換装置によれば、所定グループに分類された入力プロファイルに従った色変換によって得られる画像データが表す画像は、被写体の実像の色を再現することとなる。
【００１６】
この被写体の実像の色分布は所定の経験則に当てはまる場合が多い。また、その経験則を満たす色分布を有する画像については、所定の経験的アルゴリズムに従ったデータ処理によって、出力デバイスで出力される画像を自然な階調の画像とする為の階調変更が適切に実現される。
【００１７】
従って、上述した好適な色変換装置によれば、上述した経験的アルゴリズムによるデータ処理が階調変更部で利用されることにより適切な階調変更が実現されることとなる。
【００１８】
上記目的を達成する本発明の色変換プログラムは、コンピュータに組み込まれてそのコンピュータを、
上記入力プロファイル記憶部と、上記画像データ変換部と、上記階調変更部とを備えた色変換装置として動作させることを特徴とする。
【００１９】
【発明の実施の形態】
以下、本発明の実施形態について説明する。
【００２０】
図１は、本発明の色変換装置の一実施形態を構成するコンピュータシステムを示す図である。
【００２１】
この図１には、コンピュータシステム１００とプリンタ２００が組み込まれたコンピュータネットワークが示されている。
【００２２】
このコンピュータシステム１００は、通信網３００を介して、図示しない外部のコンピュータシステムに接続されている。このコンピュータシステム１００は、上記外部のコンピュータシステムと画像データをやりとりし、その画像データが表す画像をプリンタ２００に出力させるものである。なお画像データは、通信網３００を介してやりとりされる以外に、ＣＤ−Ｒ（Ｃｏｍｐａｃｔ  ＤｉｓｃＲｅｃｏｒｄａｂｌｅ）やＭＯ（光磁気）ディスク等といった記憶媒体が用いられてやりとりされてもよい。
【００２３】
この図１に示すコンピュータシステム１００は、ＣＰＵ、主記憶装置、ハードディスク、通信用ボード等が内蔵された本体１０１、この本体１０１からの指示により表示画面１０２ａ上に画面や文字列の表示を行うＣＲＴディスプレイ１０２、このコンピュータシステム１００にユーザの指示や文字情報を入力するためのキーボード１０３、上記表示画面１０２ａ上の任意の位置を指定することにより、その指定時にその位置に表示されていたアイコン等に応じた指示を入力するマウス１０４を備えている。
【００２４】
本体１０１には、ＣＤ−ＲＯＭ１０５やＣＤ−Ｒが取り出し自在に装填され、そのように装填されたＣＤ−ＲＯＭ１０５やＣＤ−Ｒに記憶された情報を再生するＣＤ−ＲＯＭドライブが内蔵されている。また、本体１０１には、光磁気ディスク（ＭＯ）１０６（図１には図示せず；図２参照）が取り出し自在に装填され、そのように装填されたＭＯ１０６に対し情報の記録再生を行うＭＯドライブも内蔵されている。
【００２５】
図２は、図１に示すコンピュータシステムのハードウェア構成図である。
【００２６】
このハードウェア構成図には、ＣＰＵ（中央演算処理装置）１１１、ＲＡＭ１１２、ＨＤＤ（ハードディスクドライブ）１１３、ＭＯドライブ１１４、ＣＤ−ＲＯＭドライブ１１５、および通信用ボード１１６が示されており、それらはバス１１０で相互に接続されている。
【００２７】
ＨＤＤ１１３は、記録媒体の一種であるハードディスク１２０を内蔵しており、このハードディスク１２０に対し情報の記録再生を行う。
【００２８】
通信用ボード１１６は、ＬＡＮ（Ｌｏｃａｌ  Ａｒｅａ  Ｎｅｔｗｏｒｋ）等といった通信回線に接続される。図１に示すコンピュータシステム１００は、この通信用ボード１１６を介して接続される通信網３００によって他のコンピュータシステムとの間でデータの送受信を行うことができる。
【００２９】
また、図２には、図示しない複数のＩ／Ｏインターフェースそれぞれを介してバス１１０に接続された、マウス１０４、キーボード１０３、ＣＲＴディスプレイ１０２、およびプリンタ２００が示されている。
【００３０】
ここでは、ＣＤ−ＲＯＭ１０５に、本発明の色変換プログラムの一実施形態が記憶されている。このＣＤ−ＲＯＭ１０５は本体１０１内に装填され、そのＣＤ−ＲＯＭ１０５に記憶された色変換プログラムがＣＤ−ＲＯＭドライブ１１５によって読み込まれ、バス１１０を経由してハードディスク１２０内にインストールされる。
【００３１】
図１では、色変換プログラムを記憶する記憶媒体としてＣＤ−ＲＯＭ１０５が例示されているが、本発明の色変換プログラムを記憶する記憶媒体はＣＤ−ＲＯＭに限られるものではなく、それ以外の光ディスク、ＭＯ、フロッピー（登録商標）ディスク、磁気テープなどの記憶媒体であってもよい。
【００３２】
ハードディスク１２０内にインストールされた色変換プログラムが起動されると、このハードディスク１２０内の色変換プログラムはＲＡＭ１１２にロードされ、ＣＰＵ１１１により実行される。本発明の色変換プログラムの一実施形態が起動されて実行されると、コンピュータシステム１００は、本発明の色変換装置として動作する。換言すると、コンピュータシステム１００と、本発明の色変換プログラムの一実施形態とが結合することにより、本発明の色変換装置の一実施形態を構成している。
【００３３】
図３は、本発明の色変換装置の一実施形態を示す機能ブロック図である。
【００３４】
この色変換装置４００には、プロファイル記憶部４１０と、第１の色変換部４２０と、画像処理部４３０が備えられている。また、これらプロファイル記憶部４１０、第１の色変換部４２０、および画像処理部４３０それぞれの機能を担うソフトウェアによって本発明の色変換プログラムの一実施形態が構成されている。
【００３５】
プロファイル記憶部４１０は、本発明にいう入力プロファイル記憶部の一例であって、入力プロファイルを、第１種類の入力プロファイル４１４と、第２種類の入力プロファイル４１５に分類した上で、それぞれ、第１の入力プロファイルフォルダ４１１と第２の入力プロファイルフォルダ４１２に記憶している。この第１種類の入力プロファイル４１４は、いわゆる反射型スキャナに対応する入力プロファイルである。これに対し、第２種類の入力プロファイル４１５は、デジタルスチルカメラやフィルムスキャナ等といった入力デバイスに対応する入力プロファイルであって、本発明にいう「所定グループに分類されている入力プロファイル」の一例である。なお、本実施形態では、プロファイル記憶部４１０に出力プロファイルフォルダ４１３も設けられており、この出力プロファイルフォルダ４１３には出力プロファイル４１６が記憶されている。
【００３６】
第１の色変換部４２０は、本発明にいう画像データ取得部の一例と画像データ変換部の一例とを兼ねたものであり、図１に示す通信網３００や図２に示すＭＯ１０６等を介して画像データを取得する。この画像データは、ＣＭＹ色空間やＲＧＢ色空間等といった、入力デバイスに依存した色空間で画素の色を表現するものである。また、ここでは、この画像データが表す画像には人物や風景などといった被写体が写っている。この画像データには、その画像データを出力した入力デバイスの種類が記載されており、その入力デバイスに対応する入力プロファイルが、第１の色変換部４２０によって、プロファイル記憶部４１０の第１の入力プロファイルフォルダ４１１と第２の入力プロファイルフォルダ４１２から適宜に読み出される。そして、第１の色変換部４２０は、読み出した入力プロファイルに従って画像データに色変換を施す。この色変換によって画像データは、デバイスには依存しない共通色空間の一例であるｓＲＧＢ色空間で画素の色を表現する画像データに変換される。
【００３７】
本実施形態では、第１の入力プロファイルフォルダ４１１に記憶されている第１種類の入力プロファイル４１４に従う色変換によって、反射型スキャナが読み込んだ反射原稿の画像の色が再現される。また、第２の入力プロファイルフォルダ４１２に記憶されている第２種類の入力プロファイル４１５に従う色変換によって、画像に写っている被写体の実像の色が再現される。
【００３８】
画像処理部４３０は、本発明にいう階調変更部の一例であり、第１の色変換部４２０によって第２種類の入力プロファイル４１５に従う色変換が実行された場合にだけ、色変換後の画像データに対して、画像の階調を変更するデータ処理を施す。以下では、「画像の階調を変更するデータ処理」のことを画像処理と称する場合がある。画像処理の内容については後で詳述する。
【００３９】
ここに例示された色変換装置４００には、画像データ保管部４４０と、第２の色変換部４５０も備えられている。
【００４０】
画像データ保管部４４０には、画像処理部４３０によって画像処理が施された後の画像データが保管される。また、第１の色変換部４２０によって第１種類の入力プロファイル４１４に従う色変換が実行された場合には、色変換後の画像データが第１の色変換部４２０によって画像データ保管部４４０に直接保管される。
【００４１】
第２の色変換部４５０は、プロファイル記憶部４１０の出力プロファイルフォルダ４１３に記憶されている出力プロファイル４１６に従った色変換を、画像データ保管部４４０に保管されている画像データに施して出力するものである。出力プロファイルフォルダ４１３には出力プロファイル４１６として、図１に示すプリンタ２００やＣＲＴディスプレイ１０２といった出力デバイスに対応する出力プロファイルが記憶されている。第２の色変換部４５０は、画像が出力される出力デバイスに対応した出力プロファイルに従った色変換を画像データに施す。この色変換によって画像データは、出力デバイスに依存するＣＭＹ色空間等で画素の色を表現する画像データに変換される。そして、第２の色変換部４５０は、この色変換後の画像データをその出力デバイスへと出力する。
【００４２】
図４は、色変換装置４００による色変換および画像処理の流れを説明する概念図である。
【００４３】
図３の機能ブロック図で説明した色変換および画像処理の流れを概念化すると、この図４に示す概念図となる。
【００４４】
反射型スキャナで得られた画像データに、上述した第１種類の入力プロファイル４１４に従った色変換が施されると、反射原稿の色を再現する色空間ＰＣＳ２に属する画像を表す画像データが得られる。この色空間ＰＣＳ２に属する画像は、出力デバイスによる出力に適した色の画像であって、この画像を表す画像データがプリンタやモニタ（ＣＲＴディスプレイ）に対応する出力プロファイルに従って色変換されたうえで、それらプリンタやモニタに入力されると、それらプリンタやモニタによって反射原稿の画像が再現される。反射原稿は好ましい階調の画像を有するものであり、プリンタやモニタによって再現された画像も好ましい階調を有することとなる。
【００４５】
一方、デジタルスチルカメラやフィルムスキャナなどで得られた画像データに、上述した第２種類の入力プロファイル４１５に従った色変換が施されると、被写体の実像の色を再現する色空間ＰＣＳ１に属する画像を表す画像データが得られる。但し、この色空間ＰＣＳ１と上述した色空間ＰＣＳ２は、概念的に分けられているものであり、本実施形態ではいずれもｓＲＧＢ色空間である。
【００４６】
この色空間ＰＣＳ１に属する画像では、例えば、画像を構成している全画素の色を足し合わせるとほぼグレーになるとか、画像中で最も明度の高い点の色は白色であって最も明度の低い点の色は黒色であるとか、画像中の注目されるべき部分は色分布中でピークを生じるなどといった経験則が成立する。上述した画像処理部では、このような経験則に基づいたアルゴリズムによって、いわゆるセットアップ５１０と、そのセットアップ５１０に従う画像処理５２０が実行される。
【００４７】
図５は、セットアップと画像処理の説明図である。
【００４８】
この図５に示すグラフの横軸、縦軸は、それぞれ、色空間ＰＣＳ１、色空間ＰＣＳ２に属する画像を表す画像データのデータ値を示しており、ここではデータ値として、ｓＲＧＢ色空間の座標値から濃度スケールに変換された値が用いられている。
【００４９】
上述したセットアップでは、図５に実線で示すＳ字調の階調変換カーブＬが予め用意されている。この階調変換カーブＬの中間部分における傾きは約１．６となっている。また、上述した経験則に基づいて濃度の補正量などが求められてこの階調変換カーブＬが補正され、図５に点線で示す階調補正カーブＬ’が得られる。そして、この補正された階調補正カーブＬ’に従って、濃度スケールにおいて、色空間ＰＣＳ１に属する画像を表す画像データが、色空間ＰＣＳ２に属する画像を表す画像データに変換される。
【００５０】
このようなセットアップと画像処理によって得られる画像データが表す、色空間ＰＣＳ２に属する画像は、注目されるべき画像部分で自然な階調となる。つまり、図４に示すセットアップ５１０と画像処理５２０を経た画像データは、反射型スキャナに対応する入力プロファイル４１４に従って色変換された画像データと同様に、出力デバイスによる出力に適した画像となっており、プリンタやモニタによって、好ましい階調を有する画像が出力されることとなる。
【００５１】
以上説明したように、色変換に用いられた入力プロファイル４１４，４１５の種類に応じて画像処理の実行不実行が使い分けられることにより、図１に示すプリンタ２００やＣＲＴディスプレイ１０２では、原則として好適な階調の画像が出力されることとなる。従って、この色変換装置４００のユーザはデータ処理の要不要を判断する手間を省くことができる。
【００５２】
但し、入力プロファイル４１４，４１５の種類に応じた使い分けは絶対的に正しいものではなく、反射原稿の画像であっても画像処理を施すことが望ましい場合がある。このため、図３に例示した色変換装置４００の画像処理部４３０には、ユーザによる画像データの指定を受け付ける機能が組み込まれており、この機能によって、画像データ保管部４４０に保管されている画像データが指定された場合には、その指定された画像データに対するセットアップと画像処理が行われる。この場合には、セットアップに上記経験則が利用できないため、ユーザの操作によるセットアップが行われる。
【００５３】
また、図３に例示した色変換装置４００では画像処理部４３０に、色修正などといった画像処理をユーザの指示に応じて実行する機能も組み込まれており、画像データ保管部４４０に保管されている画像データに対して、そのユーザの指示に応じた画像処理が施される。
【００５４】
なお、上記実施形態では、本発明にいう「入力デバイスに非依存な色空間」の一例としてｓＲＧＢ色空間が示されているが、本発明にいう「入力デバイスに非依存な色空間」は、ＣＩＥＸＹＺ色空間であってもよく、Ｌａｂ色空間であってもよい。また、これらの色空間は、すべての入力プロファイルに共通であってもよく、あるいは、入力プロファイルの種類などに応じて使い分けられてもよい。
【００５５】
また、上記実施形態では、複数のフォルダが用いられて入力プロファイルが分類されているが、本発明では、入力プロファイルがファイル名や拡張子によって分類されていてもよく、分類表などによって分類されていてもよい。
【００５６】
【発明の効果】
以上説明したように、本発明によれば、画像の階調を変更するデータ処理の要不要を判断する手間を省くことができる。
【図面の簡単な説明】
【図１】本発明の色変換装置の一実施形態を構成するコンピュータシステムを示す図である。
【図２】図１に示すコンピュータシステムのハードウェア構成図である。
【図３】本発明の色変換装置の一実施形態を示す機能ブロック図である。
【図４】色変換装置による色変換および画像処理の流れを説明する概念図である。
【図５】セットアップと画像処理の説明図である。
【符号の説明】
１００    コンピュータシステム
１０１    本体
１０２    ＣＲＴディスプレイ
１０３    キーボード
１０４    マウス
１０５    ＣＤ−ＲＯＭ
１０６    ＭＯ
１１０    バス
１１１    ＣＰＵ（中央演算処理装置）
１１２    ＲＡＭ
１１３    ＨＤＤ（ハードディスクドライブ）
１１４    ＭＯドライブ
１１５    ＣＤ−ＲＯＭドライブ
１１６    通信用ボード
１２０ハードディスク
２００    プリンタ
３００    通信網
４００    色変換装置
４１０    プロファイル記憶部
４１１    第１の入力プロファイルフォルダ
４１２    第２の入力プロファイルフォルダ
４１３    出力プロファイルフォルダ
４１４    第１種類の入力プロファイル
４１５    第２種類の入力プロファイル
４１６    出力プロファイル
４２０    第１の色変換部
４３０    画像処理部
４４０    画像データ保管部
４５０    第２の色変換部
【図１】
0004128759.tif 000002
【図２】
0004128759.tif 000003
【図３】
0004128759.tif 000004
【図４】
0004128759.tif 000005
【図５】
0004128759.tif 000006